(57)【要約】【課題】画像処理装置の信頼性を向上させること。【解決手段】プリンタ１はコントローラ５Ａ，５Ｂを有する。入力されたデータに基づいて、コントローラ５Ａがラスタ画像データ生成のための処理を行う。また、コントローラ５Ａによる処理と並行して、同一のデータに基づいて、コントローラ５Ｂがラスタ画像データ生成のための処理を行う。コントローラ５Ｂによってラスタ画像データが生成されてから所定時間以内にコントローラ５Ａによってラスタ画像データが出力されなかった場合に，コントローラ５Ｂがラスタ画像データを出力する。【選択図】図１
2007281696.tif 000002
【特許請求の範囲】
【請求項１】
データを入力する入力手段と、
前記入力手段によって入力されたデータに基づいてラスタ画像データを生成する第１の生成手段と、
前記入力手段によって入力されたデータに基づいて前記第１の生成手段による処理と並行してラスタ画像データを生成する第２の生成手段と、
前記第１の生成手段によって生成されたラスタ画像データを出力する第１の出力手段と、
前記第２の生成手段によってラスタ画像データが生成されてから所定時間以内に前記第１の出力手段によってラスタ画像データが出力されなかった場合に、前記第２の生成手段によって生成されたラスタ画像データを出力する第２の出力手段と
を有することを特徴とする画像処理装置。
【請求項２】
前記第２の出力手段は、前記第１の生成手段による処理が不能となった場合に、前記第２の生成手段によって生成されたラスタ画像データを出力することを特徴とする請求項１に記載の画像処理装置。
【請求項３】
前記第２の生成手段によってラスタ画像データが生成されてから所定時間以内に前記第１の出力手段によってラスタ画像データが出力された場合に、前記第２の生成手段によって生成されたラスタ画像データを破棄する第１の破棄手段を有することを特徴とする請求項１または２に記載の画像処理装置。
【請求項４】
前記第２の出力手段によってラスタ画像データが出力された場合に、前記第１の生成手段で処理中のデータを破棄する第２の破棄手段を有することを特徴とする請求項１乃至３のいずれかに記載の画像処理装置。
【請求項５】
請求項１乃至４のいずれかに記載の画像処理装置と、
前記第１の出力手段または前記第２の出力手段によって出力されたラスタ画像データに基づいて記録シートに画像を形成する画像出力手段と
を有することを特徴とする画像形成装置。
【発明の詳細な説明】
【技術分野】
【０００１】
本発明は、画像所理装置および画像形成装置に関する。
【背景技術】
【０００２】
コンピュータ装置から通信ネットワーク経由で送信されたＰＤＬ（Page Description Language）データを受信し、このＰＤＬデータに基づいて画像形成を行うプリンタが普及している。このプリンタは主に、ＰＤＬデータを解釈してラスタ画像データを生成するコントローラと、生成されたラスタ画像データを用いて例えば電子写真方式によって記録シートに画像形成を行う画像形成エンジンとから構成されている。
上記のようなプリンタにおいては、何らかの原因によってプリンタの動作が停止することがある。例えば、記録シートのジャムが発生した場合、ジャムを検知したプリンタは記録シートの搬送および画像形成を停止し、エラー情報を出力する。このエラー情報はプリンタが備える表示部に表示されるとともに、ＰＤＬデータの送信元のコンピュータ装置に送信され、これによってユーザにプリンタのエラーが報知される。
【０００３】
プリンタにエラーが発生した際に効率よくジョブを継続するための技術が提案されている。特許文献１で開示された技術では、プリンタのコントローラが処理中のページのページ番号を記憶している。ジャム等のエラーが発生した場合、エラー情報を受信したコンピュータ装置は、エラー発生時点で処理中のページのページ番号をコントローラに問い合わせる。ページ番号を表す情報を受信すると、コンピュータ装置は、送信済みのＰＤＬデータをコントローラに破棄させ、エラーが発生したページ以降のＰＤＬデータをコントローラに送信する。これによって、プリンタがエラーから回復した後、未処理のページ以降を迅速に処理することができるようになる。
【特許文献１】特開平９−６５５０号公報
【発明の開示】
【発明が解決しようとする課題】
【０００４】
特許文献１で開示された技術では、画像形成エンジン等、コントローラ以外の部分でエラーが発生した場合には上記の処理が実行可能である。しかし、コントローラが故障した場合や、コントローラがオフラインの場合（画像形成エンジン等との通信が切断された状態）、およびコントローラのソフトウェアの更新作業中の場合等には処理の実行が不可能である。また、コントローラの復旧にはある程度の時間を要するから、その間、ユーザの作業が滞ってしまう。
本発明は、上述した背景の下になされたものであり、画像処理装置の信頼性を向上させることのできる技術の提供を目的とする。
【課題を解決するための手段】
【０００５】
上述の課題を解決するために、本発明は、データを入力する入力手段と、前記入力手段によって入力されたデータに基づいてラスタ画像データを生成する第１の生成手段と、前記入力手段によって入力されたデータに基づいて前記第１の生成手段による処理と並行してラスタ画像データを生成する第２の生成手段と、前記第１の生成手段によって生成されたラスタ画像データを出力する第１の出力手段と、前記第２の生成手段によってラスタ画像データが生成されてから所定時間以内に前記第１の出力手段によってラスタ画像データが出力されなかった場合に、前記第２の生成手段によって生成されたラスタ画像データを出力する第２の出力手段とを有することを特徴とする画像処理装置を提供する。
上記の画像処理装置によれば、まず、入力されたデータに基づいて、第１の生成手段によってラスタ画像データ生成のための処理が行われる。また、第１の生成手段による処理と並行して、同一のデータに基づいて、第２の生成手段によってラスタ画像データ生成のための処理が行われる。第２の生成手段によってラスタ画像データが生成されてから所定時間以内に第１の出力手段によってラスタ画像データが出力されなかった場合に、第２の生成手段によって生成されたラスタ画像データが出力される。
【発明の効果】
【０００６】
本発明によれば、画像処理装置の信頼性を向上させることができる。
【発明を実施するための最良の形態】
【０００７】
＜実施形態＞
以下、図面を参照して、本発明の実施形態について説明する。本実施形態は、本発明をプリンタに適用した例である。
＜構成＞
図１は、本実施形態におけるプリンタ１のハードウェア構成を示す図である。プリンタ１は、Post Script等のＰＤＬで記述されたデータ（ＰＤＬデータ）を入力し、このＰＤＬデータに基づいて記録シートに画像を形成する。
【０００８】
制御部４は、ＣＰＵ（Central Processing Unit）４１、ＲＯＭ（Read Only Memory）４２、ＲＡＭ（Random Access Memory）４３からなる。ＲＯＭ４２にはＩＰＬ（Initial Program Loader）が記憶されている。記憶部４５は、ハードディスク装置等の不揮発性メモリである。記憶部４５はＯＳ（Operating System）プログラム等を記憶している他、外部から入力されたデータを記憶するためにも使用される。ＣＰＵ４１が記憶部４５に記憶されているプログラムを実行することによってプリンタ１各部の動作を制御する。ＲＡＭ４３は、ＣＰＵ４１がプログラムを実行する際のワークエリアとして使用される。
【０００９】
コントローラ５Ａは、ＣＰＵ５１Ａ、ＲＯＭ５２Ａ、ＲＡＭ５３Ａ、バッファ５４Ａからなる。ＲＯＭ５２Ａには、ＰＤＬデータを解釈してラスタ画像データを生成する手順を記述したプログラムが記憶されている。コントローラ５ＡにＰＤＬデータが入力されると、ＣＰＵ５１ＡがＰＤＬデータを解釈してラスタ画像データを生成し、生成されたラスタ画像データをバッファ５４Ａに書き込む。
コントローラ５Ｂはコントローラ５Ａと同様の構成からなる。なお、ＣＰＵ５１Ｂ、ＲＯＭ５２Ｂ，ＲＡＭ５３Ｂ、バッファ５４Ｂはそれぞれ、ＣＰＵ５１Ａ，ＲＯＭ５２Ａ、ＲＡＭ５３Ａ、バッファ５４Ａと同一の性能を有していることが好ましい。
【００１０】
通信インターフェイス（以下、通信Ｉ／Ｆ）４４は、通信回線に接続されており、プリンタ１と外部のコンピュータ装置等との通信を仲介する。
指示入力部４６は、キーボード４７とタッチパネル４８からなり、プリンタ１に対する指示をユーザが入力することができる。キーボード４７は、スタート、ストップ、リセットの各キーとテンキー等からなる。タッチパネル４８は、メニューを表す画像を表示する液晶パネルと、液晶パネル上でユーザが触れた領域を特定するセンサとからなる。指示入力部４６によって入力された指示はＣＰＵ４１に送られ、ＣＰＵ４１は送られてきた指示に従ってプリンタ１を制御する。
制御部４、コントローラ５Ａ、５Ｂ、通信Ｉ／Ｆ４４、記憶部４５、指示入力部４６は相互に通信可能となっている。
【００１１】
画像出力部６は、画像形成エンジン７Ｙ、７Ｍ、７Ｃ、７Ｋ、転写ベルト８等からなる。
画像形成エンジン７Ｙ、７Ｍ、７Ｃ、７Ｋは、それぞれイエロー（Ｙ）、マゼンタ（Ｍ）、シアン（Ｃ）、ブラック（Ｋ）の各色のトナー像を形成する。各画像形成エンジンの構成は共通であるから、ここでは画像形成エンジン７Ｙについてのみ説明する。
画像形成エンジン７Ｙは、感光体ドラム２０Ｙの周囲に、帯電装置２１Ｙ、露光装置１９Ｙ、現像装置２２Ｙ、転写装置２５Ｙ等を設けて構成されている。
【００１２】
帯電装置２１Ｙは、矢印Ａの方向に回転駆動される感光体ドラム２０Ｙの表面を所定の電位に帯電させる。
露光装置１９Ｙは、感光体ドラム２０Ｙに対して露光用ビームＬＢを照射するＲＯＳ（Raster Output Scanner）である。露光装置１９Ｙは、コントローラ５Ａまたは５Ｂから供給されたラスタ画像データを受け取り、このラスタ画像データに基づいて露光用ビームＬＢを生成する。そして、所定の電位に帯電した感光体ドラム２０Ｙの表面をこの露光用ビームＬＢで偏向走査する。感光体ドラム２０Ｙの表面では、露光用ビームＬＢが照射された部分の電位が所定のレベルまで減少する。このようにして、感光体ドラム２０Ｙの表面にラスタ画像データに基づいた静電潜像が形成される。
【００１３】
現像装置２２Ｙは、感光体ドラム２０Ｙ表面に形成された静電潜像を顕像化する。トナータンク２３Ｙにはイエローのトナーが収容されており、所定量のトナーが現像装置２２Ｙに供給される。現像装置２２Ｙは、このトナーを感光体ドラム２０Ｙ表面に供給し、静電潜像に付着させることによってトナー像を形成する。
転写ベルト８は、ローラ２６、２７、２８、２９に張架されており、矢印Ｂの方向に循環駆動される。感光体ドラム２０Ｙの下方には、転写ベルト８を挟むように転写装置２５Ｙが設けられており、所定の電圧が印加される。感光体ドラム２０Ｙ表面に形成されたトナー像は、転写装置２５Ｙに印加された電圧による電界の作用によって、転写ベルト８表面に転写される（１次転写）。
クリーナ２４Ｙは、感光体ドラム２０Ｙに残存したトナーを除去する。
【００１４】
以上が画像形成エンジン７Ｙの構成である。画像形成エンジン７Ｍ、７Ｃ、７Ｋにおいても各色に対応したトナー像が形成され、転写ベルト８に重ねて転写される。なお、これ以降、画像形成エンジン７Ｙ、７Ｍ、７Ｃ、７Ｋを区別する必要のない場合には、単に画像形成エンジン７と称する。他の構成要素についても同様に、Ｙ、Ｍ、Ｃ、Ｋの別を区別する必要のない場合には、Ｙ、Ｍ、Ｃ、Ｋの表記を省略するものとする。
【００１５】
給紙トレイ９には画像を形成するための記録シート１０が収容されている。転写ベルト８表面にフルカラーのトナー像が形成されると、給紙ローラ３３が回転駆動され、記録シート１０が１枚ずつ送り出される。送り出された記録シート１０はローラ対３４、３５、３７によって搬送路３６に沿って搬送される。
転写ローラ３０には所定の電圧が印加されている。転写ベルト８は矢印Ｂの方向に循環駆動され、その表面に形成されたトナー像が転写ローラ３０近傍に接近するのと同期して、転写ローラ３０が所定の圧接力にて転写ベルト８を介してローラ２９に圧接され、ニップを形成する。そして、このニップに記録シート１０が進入する。転写ベルト８上のトナー像は、転写ローラ３０に印加された電圧による電界およびニップ圧接力の作用によって、記録シート１０表面に転写される（２次転写）。
【００１６】
トナー像が転写された記録シート１０は、ローラ対３１によって定着装置１１に導かれる。定着装置１１では、記録シート１０に対して加圧および加熱が行われ、トナー像が記録シート１０表面に定着される。トナー像が定着された記録シート１０は、排紙トレイ３２に排出される。
【００１７】
＜動作＞
次に、本実施形態におけるプリンタ１の動作について説明する。
まず、プリンタ１に電源が投入される。制御部４においては、ＣＰＵ４１がＲＯＭ４２からプログラムを読み出して実行する。また、コントローラ５Ａ、５Ｂにおいては、それぞれＣＰＵ５１ＡがＲＯＭ５２Ａから、ＣＰＵ５１ＢがＲＯＭ５２Ｂからプログラムを読み出して実行する。プリンタ１は待機状態にある。
【００１８】
図２は、制御部４に備えられたＣＰＵ４１が実行する処理のフローを示す図である。なお、ＣＰＵ４１はプリンタ１の各部の動作を制御するためのプログラムを実行しているが、同図においては本発明の特徴的な部分に関するフローのみ示している。
まず、ステップＳ０１では、ＣＰＵ４１は、コントローラ５Ａからの信号を受信したか否かを一定時間間隔で判定する。コントローラ５Ａから送信される信号はinvalid信号とenable信号のいずれかである。invalid信号は、コントローラ５Ａのハードウェアが故障した場合にＣＰＵ４１に対して送信される。コントローラ５Ａが故障から回復すると、enable信号がＣＰＵ４１に対して送信される。また、メインテナンスあるいはプログラムの更新等のためにコントローラ５Ａの動作が停止された場合にもinvalid信号がＣＰＵ４１に対して送信される。コントローラ５Ａの動作が回復した場合にはenable信号がＣＰＵ４１に対して送信される。ステップＳ０１において信号を受信したと判定された場合には、ステップＳ０２に進む。
【００１９】
ステップＳ０２では、ＣＰＵ４１は、受信した信号がinvalid信号であるか否かを判定する。信号がinvalid信号である場合にはステップＳ０３に進み、invalid信号でない、すなわちenable信号である場合にはステップＳ０４に進む。
ステップＳ０３では、ＣＰＵ４１は、ラスタ画像データ出力指示をコントローラ５Ｂに送信する。ラスタ画像データ出力指示は、コントローラ５Ｂによって生成されたラスタ画像データを出力することの指示である。つまり、コントローラ５Ａの動作が停止された場合にラスタ画像データ出力指示がコントローラ５Ｂに送信される。
【００２０】
一方、ステップＳ０４では、ＣＰＵ４１は、ラスタ画像データ出力指示を取り消すことの指示をコントローラ５Ｂに送信する。つまり、停止されていたコントローラ５Ａの動作が回復した場合にラスタ画像データ出力指示を取り消すことの指示がコントローラ５Ｂに送信される。
以上がＣＰＵ４１が実行する処理の内容である。
【００２１】
図３は、コントローラ５Ａに備えられたＣＰＵ５１Ａが実行する処理のフローを示す図である。
まず、ステップＡ０１では、ＣＰＵ５１Ａは、ＰＤＬデータを受信する。このＰＤＬデータは、外部のコンピュータ装置等によって生成されたデータであり、通信Ｉ／Ｆ４４によって受信される。受信されたＰＤＬデータはＣＰＵ４１によってＣＰＵ５１Ａ、５１Ｂに対して同時に送信され、ＣＰＵ５１Ａ、５１Ｂによって受信される。
【００２２】
ステップＡ０２では、ＣＰＵ５１Ａは、受信したＰＤＬデータを解釈し、ＰＤＬデータをコントローラ５Ａに固有の中間コードに変換する。そして、この中間コードをラスタ画像データに変換する。生成されたラスタ画像データはバッファ５４Ａに書き込まれる。なお、コントローラ５Ｂに備えられたＣＰＵ５１Ｂは、ステップＡ０２の処理と並行して同一のＰＤＬデータを用いた処理を行う。この処理の内容については後述する。
ステップＡ０３では、ＣＰＵ５１Ａは、生成されたラスタ画像データを出力する。ラスタ画像データの出力先は、露光装置１９である。露光装置１９は、受け取ったラスタ画像データに基づいて露光用ビームＬＢを生成し、この露光用ビームを感光体ドラム２０表面に照射する。これによって感光体ドラム２０表面に静電潜像が形成される。静電潜像形成後の画像出力部６の動作は前述のとおりである。ラスタ画像データの出力が完了すると、当該ジョブに関連するデータは破棄される。
【００２３】
ステップＡ０４では、ＣＰＵ５１Ａは、所定の信号を出力する。この信号は、ＣＰＵ５１Ｂに送信される。この信号は、具体的には、ジョブを破棄することの指示（ジョブ破棄指示）である。ＣＰＵ５１Ｂでは、ＣＰＵ５１Ａによる上記の処理と並行して同一のＰＤＬデータを用いた処理（ジョブ）が行われている。ジョブ破棄指示は、ＣＰＵ５１Ｂで実行中の処理を停止させ、当該ジョブに関連するＰＤＬデータ等のデータを破棄させることの指示である。
以上がＣＰＵ５１Ａが実行する処理の内容である。
【００２４】
図４は、コントローラ５Ｂに備えられたＣＰＵ５１Ｂが実行する処理のフローを示す図である。
まず、ステップＢ０１では、ＣＰＵ５１Ｂは、ＰＤＬデータを受信する。このＰＤＬデータは、図３のステップＡ０１においてＣＰＵ５１Ａが受信したものと同一のデータである。また、上述したとおり、ＣＰＵ５１Ａ，５１ＢはＰＤＬデータを同時に受信する。つまり、図３にのフローと図４のフローは同一のタイミングで開始される。
【００２５】
ステップＢ０２では、ＣＰＵ５１Ｂは、受信したＰＤＬデータを解釈し、ＰＤＬデータをコントローラ５Ｂに固有の中間コードに変換する。そして、この中間コードをラスタ画像データに変換する。生成されたラスタ画像データはバッファ５４Ｂに書き込まれる。
上記のとおり、ステップＢ０２までの処理内容は図３におけるステップＡ０２までの処理内容と同一である。ステップＢ０３以降、ＣＰＵ５１Ｂは、図３と異なる処理を行う。
【００２６】
ステップＢ０３では、ＣＰＵ５１Ｂは、ラスタ画像データ出力指示を受信したか否かを判定する。ここで、ラスタ画像データ出力指示は、図２のステップＳ０３においてＣＰＵ４１が送信した指示である。ＲＡＭ５３Ｂには、ラスタ画像データ出力指示の有無を表すフラグが記憶されている。フラグのデフォルト値は「０」である。ラスタ画像データ出力指示を受信した場合には、このフラグの値が「１」に書き換えられる。ラスタ画像データ出力指示を取り消すことの指示を受信した場合には、このフラグの値が「０」に書き換えられる。ステップＢ０３においてフラグの値が「１」である場合にはステップＢ０６に進み、フラグの値が「０」である場合にはステップＢ０４に進む。
【００２７】
ステップＢ０４では、ＣＰＵ５１Ｂは、ジョブ破棄指示を受信したか否かを判定する。ここで、ジョブ破棄指示は、図３のステップＡ０４においてＣＰＵ５１Ａが送信した指示である。ＲＡＭ５３Ｂには、ジョブ破棄指示の有無を表すフラグが記憶されている。フラグのデフォルト値は「０」である。ジョブ破棄指示を受信した場合には、このフラグの値は「１」に書き換えられる。ステップＢ０４においてフラグの値が「１」である場合にはステップＢ０７に進み、フラグの値が「０」である場合にはステップＢ０５に進む。
【００２８】
ステップＢ０５では、ＣＰＵ５１Ｂは、タイムアウトか否かを判定する。ＣＰＵ５１Ｂは、ステップＢ０２終了時点からの経過時間を計時しており、この経過時間が所定値（例えば、１０秒）に達した場合にはタイムアウトであると判定し、ステップＢ０６に進む。経過時間が所定値に達していない場合にはステップＢ０３に戻る。ＣＰＵ５１Ｂは、ステップＢ０３からステップＢ０５までの処理を一定時間間隔（例えば、１秒間隔）で繰り返し行う。
【００２９】
ステップＢ０５においてタイムアウトの判定を行う意味は以下のとおりである。例えば、コントローラ５Ａが、何らかの原因により処理速度が低下したと仮定する。この場合、処理速度が低下したまま放置しておくと、コントローラ５Ａによる画像処理に多大な時間を要することになる。あるいは、画像処理が完了しないまま、コントローラ５Ａが故障してしまうことも考えられる。上記のように経過時間が所定値に達した場合にコントローラ５Ｂでラスタ画像データの出力を行うようにすれば、時間の浪費はこの所定値分だけにとどめることができるので、処理時間が極度に長引くことを避けることができる。
【００３０】
ステップＢ０６では、ＣＰＵ５１Ｂは、生成されたラスタ画像データを出力する。ラスタ画像データの出力先は、露光装置１９である。露光装置１９は、受け取ったラスタ画像データに基づいて露光用ビームＬＢを感光体ドラム２０表面に照射し、これによって感光体ドラム２０表面に静電潜像が形成される。静電潜像形成後の画像出力部６の動作は前述のとおりである。ラスタ画像データの出力が完了すると、当該ジョブに関連するデータは破棄される。
ステップＢ０７では、ＣＰＵ５１Ｂはジョブを破棄する。ＣＰＵ５１Ｂは、実行中の処理を停止し、当該ジョブに関連するＰＤＬデータ等のデータを破棄する。
以上がＣＰＵ５１Ｂが実行する処理の内容である。
【００３１】
本発明によれば、以下に示す作用・効果が得られる。
コントローラ５Ａが故障等により停止した場合であってもコントローラ５Ｂが画像処理を実行するから、画像処理装置の信頼性が向上する。これによって、ユーザは作業の停滞を回避することができるようになる。
また、コントローラ５Ｂでラスタ画像データが生成されてから所定時間以内にラスタ画像データ出力指示またはジョブ破棄指示がない場合にはコントローラ５Ｂによりラスタ画像データを出力するから、画像処理の結果を迅速に得ることができる。
【００３２】
また、コントローラ５Ａが停止した時点でコントローラ５Ｂに対してラスタ画像データ出力指示を与えるので、コントローラ５Ｂによってラスタ画像データが生成され次第、ラスタ画像データを出力することができる。よって、画像処理の結果を迅速に得ることができる。
また、コントローラ５Ａによってラスタ画像データの出力が行われた場合にはコントローラ５Ｂで生成されたラスタ画像データが破棄されるから、無駄な処理を避けることができる。
【００３３】
＜変形例＞
以上説明した形態に限らず、本発明は種々の形態で実施可能である。例えば、上述の実施形態を以下のように変形した形態でも実施可能である。
本発明は、プリンタ機能を有する複合機、すなわちプリンタ機能に加えて複写機能、スキャナ機能のいずれかまたはその両方を兼ね備えた装置等に対しても適用できる。
図４において、ステップＢ０３の処理を省略してもよい。この場合、図２に示された処理は不要となる。
図４において、コントローラ５Ｂによってラスタ画像データが出力された場合に、コントローラ５Ａで処理中のデータを破棄するようにしてもよい。このようにすれば、無駄な処理を避けることができる。
【図面の簡単な説明】
【００３４】
【図１】プリンタ１のハードウェア構成を示す図である。
【図２】ＣＰＵ４１が実行する処理のフローを示すである。
【図３】ＣＰＵ５１Ａが実行する処理のフローを示す図である。
【図４】ＣＰＵ５１Ｂが実行する処理のフローを示す図である。
【符号の説明】
【００３５】
１…プリンタ、４…制御部、４１…ＣＰＵ、４２…ＲＯＭ、４３…ＲＡＭ、５Ａ…コントローラ、５１Ａ…ＣＰＵ、５２Ａ…ＲＯＭ、５３Ａ…ＲＡＭ、５４Ａ…バッファ、５Ｂ…コントローラ、５１Ｂ…ＣＰＵ、５２Ｂ…ＲＯＭ，５３Ｂ…ＲＡＭ、５４Ｂ…バッファ、４４…通信インターフェイス、４５…記憶部、４６…指示入力部、４７…キーボード、４８…タッチパネル、６…画像出力部、７Ｙ、７Ｍ、７Ｃ、７Ｋ…画像形成エンジン、２０Ｙ…感光体ドラム、２１Ｙ…帯電装置、１９Ｙ…露光装置、２２Ｙ…現像装置、２４Ｙ…クリーナ、９…給紙トレイ、８…転写ベルト、１０…記録シート、１１…定着装置。
【図１】
2007281696.tif 000003
【図２】
2007281696.tif 000004
【図３】
2007281696.tif 000005
【図４】
2007281696.tif 000006
【手続補正書】
【提出日】平成18年4月11日(2006.4.11)
【手続補正２】
【補正対象書類名】明細書
【補正対象項目名】０００１
【補正方法】変更
【補正の内容】
【０００１】
本発明は、画像処理装置および画像形成装置に関する。